【手続補正書】
【提出日】平成20年1月30日(2008.1.30)
【手続補正１】
【補正対象書類名】特許請求の範囲
【補正対象項目名】全文
【補正方法】変更
【補正の内容】
【特許請求の範囲】
【請求項１】
少なくとも４０ｃｍ×３０ｃｍの寸法を持つ窓ガラスパネルであって、それが１．５ｍｍから１４ｍｍの範囲内の厚さを持つ第一ガラスシート、第一ガラスシートから間隔を置かれかつ１．５ｍｍから１４ｍｍの範囲内の厚さを持つ第二ガラスシート、及び積層組立体を形成するように第一と第二ガラスシートの間に接着された中間層を含み、この中間層がポリビニルブチラール（ＰＶＢ）系材料及びエチルビニルアセテート（ＥＶＡ）系材料から選択されているものにおいて、中間層が６５０ｋＷ／ｍ２未満の最大熱発生率を持つこと、及び窓ガラスパネルがヨーロッパ規格ＥＮ１２６００による振り子試験で少なくとも２Ｂ２の機械抵抗等級を持つことを特徴とする窓ガラスパネル。
【請求項２】
窓ガラスパネルが、第二ガラスシートから間隔を置かれた１．５ｍｍから１４ｍｍの範囲内の厚さを持つ第三ガラスシート、及び第二と第三ガラスシートの間に配置された発泡性層を更に含むことを特徴とする請求項１に記載の窓ガラスパネル。
【請求項３】
窓ガラスパネルが、積層組立体を形成するために中間層により一緒に接着された少なくとも三枚の基材を含み、この窓ガラスパネルがヨーロッパ規格ＥＮ１０６３による少なくともＢＲ３級の防弾性及び少なくともＥ１３０の防火性等級を持つことを特徴とする請求項１に記載の窓ガラスパネル。
【請求項４】
第一の非網入りガラスシート、介在する発泡性材料なしに第一ガラスシートから間隔を置かれている第二の非網入りガラスシート、積層組立体を形成するように第一と第二ガラスシートの間に接着されかつポリビニルブチラール（ＰＶＢ）系材料及びエチルビニルアセテート（ＥＶＡ）系材料から選ばれる中間層、及び１．５ｍｍから１４ｍｍの範囲内の厚さを持ちかつ少なくとも８０ＭＰａの中央部の表面圧縮を持ち、更に第二ガラスシートから密封ガス充填空間により間隔を置かれた第三の非網入りガラスシートから本質的になり、ガラスシートの一つまたはそれより多くが任意の被覆を持ち、窓ガラスパネルが防火試験でその第一ガラスシートが熱源に曝されるとき少なくともＥＷ６０の防火性等級を持つことを特徴とする窓ガラスパネル。
【請求項５】
窓ガラスパネルが次の特徴：
ａ）窓ガラスパネルが少なくとも４０ｃｍ×３０ｃｍの寸法を持つ；
ｂ）窓ガラスパネルが少なくとも４０ｃｍ×３０ｃｍの寸法を持ちかつ第一ガラスシート／中間層／第二ガラスシート／太陽制御被覆層／間隔／赤外反射層／第三ガラスシートの構造から本質的になり、各ガラスシートが３ｍｍから７ｍｍの範囲内の厚さを持ち、かつ第三ガラスシートが少なくとも８０ＭＰａの中央部の表面圧縮を持つ；
ｃ）窓ガラスパネルが少なくとも４０ｃｍ×３０ｃｍの寸法を持ちかつ第一ガラスシート／中間層／第二ガラスシート／太陽制御被覆層／間隔／第三ガラスシートの構造から本質的になり、各ガラスシートが３ｍｍから７ｍｍの範囲内の厚さを持ち、かつ第三ガラスシートが少なくとも８０ＭＰａの中央部の表面圧縮を持つ；
ｄ）窓ガラスパネルが少なくとも４０ｃｍ×３０ｃｍの寸法を持ちかつ赤外反射層／第一ガラスシート／中間層／第二ガラスシート／間隔／太陽制御被覆層／第三ガラスシートの構造から本質的になり、各ガラスシートが３ｍｍから７ｍｍの範囲内の厚さを持ち、かつ第三ガラスシートが少なくとも８０ＭＰａの中央部の表面圧縮を持つ；
ｅ）窓ガラスパネルが０．８ｍ２以上の表面積を持ちかつ第一ガラスシート／中間層／第二ガラスシート／赤外反射層／間隔／第三ガラスシート／赤外反射被覆の構造から本質的になり、各ガラスシートが５．５ｍｍから１６．５ｍｍの範囲の厚さを持ち、かつ各ガラスシートが少なくとも８０ＭＰａの中央部の表面圧縮を持つ；
ｆ）窓ガラスパネルが少なくとも４０ｃｍ×３０ｃｍの寸法を持ちかつ赤外反射層／第一ガラスシート／間隔／赤外反射層／第二ガラスシート／中間層／第三ガラスシートの構造から本質的になり、第一ガラスシートが５．５ｍｍ〜６．５ｍｍの厚さを持ち、第二ガラスシートが５．５ｍｍ〜６．５ｍｍの厚さを持ち、第三ガラスシートが１１．５ｍｍ〜１２．５ｍｍの厚さを持ち、かつ各ガラスシートが少なくとも８０ＭＰａの中央部の表面圧縮を持つ；
ｇ）窓ガラスパネルが少なくとも４０ｃｍ×３０ｃｍの寸法を持ちかつ赤外反射層／第一ガラスシート／間隔／第二ガラスシート／中間層／赤外反射層／第三ガラスシートの構造から本質的になり、第一ガラスシートが５．５ｍｍ〜６．５ｍｍの厚さを持ち、第二ガラスシートが１１．５ｍｍ〜１２．５ｍｍの厚さを持ち、第三ガラスシートが５．５ｍｍ〜６．５ｍｍの厚さを持ち、かつ各ガラスシートが少なくとも８０ＭＰａの中央部の表面圧縮を持つ；
ｈ）窓ガラスパネルが少なくとも４０ｃｍ×３０ｃｍの寸法を持ちかつ赤外反射層／第一ガラスシート／間隔／第二ガラスシート／中間層／赤外反射層／第三ガラスシートの構造から本質的になり、第一ガラスシートが５．５ｍｍ〜６．５ｍｍの厚さを持ち、第二ガラスシートが５．５ｍｍ〜６．５ｍｍの厚さを持ち、第三ガラスシートが９．５ｍｍ〜１３．５ｍｍの厚さを持ち、かつ各ガラスシートが少なくとも８０ＭＰａの中央部の表面圧縮を持つ；
の一つを持つことを特徴とする請求項４に記載の窓ガラスパネル。
【請求項６】
少なくとも１ｍ×２．２ｍの寸法を持ちかつ少なくともＥＷ６０の防火性等級を持つ窓ガラスパネルにおいて、
２．５ｍｍから８．５ｍｍの範囲内の厚さを持つ第一ガラスシート、
２．５ｍｍから８．５ｍｍの範囲内の厚さを持ち第一ガラスシートから間隔を置かれている第二ガラスシート、及び
積層組立体を形成するように第一と第二ガラスシートの間に接着された中間層
の構造から本質的になり、
各ガラス基材の少なくとも一つの面が０．３未満の通常放射率を持つ被覆層を備えていることを特徴とする窓ガラスパネル。
【請求項７】
中間層に隣接した各ガラスシートの内面が赤外反射層を備えていることを特徴とする請求項６に記載の窓ガラスパネル。
【請求項８】
中間層から間隔を置かれた各ガラスシートの露出面が赤外反射被覆を備えていることを特徴とする請求項６に記載の窓ガラスパネル。
【請求項９】
少なくとも４０ｃｍ×３０ｃｍの寸法を持ち、かつヨーロッパ規格ＥＮ１２６００による振り子試験で少なくとも２Ｂ２の機械抵抗及び少なくともＥＷ３０の防火性等級を持つ窓ガラスパネルにおいて、この窓ガラスパネルが次の特徴：
ａ）窓ガラスパネルが
１．５ｍｍから４．５ｍｍの範囲内の厚さを持ち、かつ９×１０−６以下の膨張係数を持つガラス及び５８０℃以上のＴｇを持つガラスからなる群から選ばれる第一ガラスシート、
１．５ｍｍから４．５ｍｍの範囲内の厚さを持ち、かつソーダ石灰ガラス、９×１０−６以下の膨張係数を持つガラス及び５８０℃以上のＴｇを持つガラスからなる群から選ばれる第二ガラスシート、及び
積層組立体を形成するように第一と第二ガラスシートの間に接着され、かつポリビニルブチラール（ＰＶＢ）系材料及びエチルビニルアセテート（ＥＶＡ）系材料から選ばれる中間層
の構造から本質的になる
ｂ）窓ガラスパネルが
１．５ｍｍから２．５ｍｍの範囲内の厚さを持つ第一の非網入りガラスシート、
１．５ｍｍから２．５ｍｍの範囲内の厚さを持ち、かつ第一ガラスシートから間隔を置かれている第二の非網入りガラスシート、
積層組立体を形成するように第一と第二ガラスシートの間に接着され、かつポリビニルブチラール（ＰＶＢ）系材料及びエチルビニルアセテート（ＥＶＡ）系材料から選ばれる中間層、及び
１．５ｍｍから２．５ｍｍの範囲内の厚さを持ちかつ第二ガラスシートから介在する発泡性層により間隔を置かれた第三の非網入りガラスシート
の構造から本質的になる
の一つを持つことを特徴とする窓ガラスパネル。
【請求項１０】
少なくとも４０ｃｍ×３０ｃｍの寸法を持つ窓ガラスパネルであって、次の特徴：
ａ）窓ガラスパネルが少なくともＥＷ３０の防火性等級を持ちかつ第一ガラスシート／中間層／第二ガラスシート／発泡性層／第三ガラスシートの構造から本質的になり、各ガラスシートが１．５ｍｍから４ｍｍの範囲内の厚さを持つ；
ｂ）窓ガラスパネルが少なくともＥＷ６０の防火性等級を持ちかつ第一ガラスシート／中間層／第二ガラスシート／発泡性層／第三ガラスシートの構造から本質的になり、各ガラスシートが２．５ｍｍから４．５ｍｍの範囲内の厚さを持つ；
ｃ）窓ガラスパネルが少なくともＥＷ６０の防火性等級を持ちかつ第一ガラスシート／中間層／第二ガラスシート／発泡性層／第三ガラスシート／中間層／第四ガラスシートの構造から本質的になり、各ガラスシートが１．５ｍｍから４．５ｍｍの範囲内の厚さを持つ；
ｄ）窓ガラスパネルが少なくともＥＩ９０の防火性等級を持ちかつガラスシート／発泡性層／ガラスシート／発泡性層／ガラスシート／発泡性層／ガラスシート／中間層／ガラスシート／発泡性層／ガラスシート／発泡性層／ガラスシート／発泡性層／ガラスシートの構造から本質的になり、各ガラスシートが１．５ｍｍから４．５ｍｍの範囲内の厚さを持つ；
ｅ）窓ガラスパネルが少なくともＥＩ１２０の防火性等級を持ちかつガラスシート／発泡性層／ガラスシート／発泡性層／ガラスシート／発泡性層／ガラスシート／中間層／ガラスシート／発泡性層／ガラスシート／発泡性層／ガラスシート／発泡性層／ガラスシート／中間層／ガラスシート／発泡性層／ガラスシート／発泡性層／ガラスシート／発泡性層／ガラスシートの構造から本質的になり、各ガラスシートが１．５ｍｍから４．５ｍｍの範囲内の厚さを持つ；
ｆ）窓ガラスパネルが少なくともＥ３０の防火性等級を持ちかつガラスシート／中間層／ガラスシート／密封ガス充填分離体／ガラスシート／発泡性層／ガラスシートの構造から本質的になり、各ガラスシートが２．５ｍｍから３．５ｍｍの範囲内の厚さを持つ；
ｇ）窓ガラスパネルが少なくともＥ３０の防火性等級を持ちかつ２．５ｍｍから４．５ｍｍの範囲内の厚さを持つガラスシート／中間層／３．５ｍｍから４．５ｍｍの範囲内の厚さを持つガラスシート／低放射率被覆／密封ガス充填分離体／２．５ｍｍから３．５ｍｍの範囲内の厚さを持つガラスシート／発泡性層／２．５ｍｍから３．５ｍｍの範囲内の厚さを持つガラスシートの構造から本質的になる；
ｈ）窓ガラスパネルが少なくともＥ３０の防火性等級を持ちかつ５．５ｍｍから６．５ｍｍの範囲内の厚さを持つガラスシート／低放射率被覆／中間層／２．５ｍｍから３．５ｍｍの範囲内の厚さを持つガラスシート／密封ガス充填分離体／２．５ｍｍから３．５ｍｍの範囲内の厚さを持つガラスシート／発泡性層／２．５ｍｍから３．５ｍｍの範囲内の厚さを持つガラスシートの構造から本質的になる；
の少なくとも一つを持つことを特徴とする窓ガラスパネル。
【請求項１１】
発泡性層がシリカ（ＳｉＯ２）及び酸化ナトリウム（Ｎａ２Ｏ）を含むこと、及びＳｉＯ２／Ｎａ２Ｏの重量比Ｒｐが３．３より大きいことを特徴とする請求項３または１０に記載の窓ガラスパネル。
【請求項１２】
発泡性層の水分含量が２２重量％以下であることを特徴とする請求項３，１０及び１１のいずれか一つに記載の窓ガラスパネル。
【請求項１３】
窓ガラスパネルが少なくともＥＷ３０の防火性等級を持つことを特徴とする請求項１から１２のいずれかに記載の窓ガラスパネル。
【請求項１４】
ガラスシートの少なくとも一つがソーダ石灰ガラスであることを特徴とする請求項１から１３のいずれかに記載の窓ガラスパネル。
【請求項１５】
ガラスシートの少なくとも一つが９×１０−６以下の膨張係数を持つガラス及び５８０℃以上のＴｇを持つガラスからなる群から選択されることを特徴とする請求項１から１４のいずれかに記載の窓ガラスパネル。
【請求項１６】
ガラスシートの少なくとも一つが少なくとも８０ＭＰａの中央点での表面圧縮を持つことを特徴とする請求項１から１５のいずれかに記載の窓ガラスパネル。
【請求項１７】
中間層が６５０ｋＷ／ｍ２未満の最大熱発生率を持つことを特徴とする請求項１から１６のいずれかに記載の窓ガラスパネル。
【請求項１８】
中間層が５００ｋＷ／ｍ２未満の最大熱発生率を持つことを特徴とする請求項１から１７のいずれかに記載の窓ガラスパネル。
【請求項１９】
窓ガラスパネルがヨーロッパ規格ＥＮ１２６００による振り子試験で少なくとも２Ｂ２の機械抵抗等級を持つことを特徴とする請求項１から１８のいずれかに記載の窓ガラスパネル。
【請求項２０】
ガラスシートの少なくとも一つが太陽制御被覆または熱反射被覆を備えていることを特徴とする請求項１から１９のいずれかに記載の窓ガラスパネル。
【請求項２１】
窓ガラスパネルが６０％以上の光透過率及び５５％以下の日射反射率を持つことを特徴とする請求項１から２０のいずれかに記載の窓ガラスパネル。
【請求項２２】
窓ガラスパネルが少なくとも９５ｃｍ×１９０ｃｍの寸法を持つことを特徴とする請求項１から２１のいずれかに記載の窓ガラスパネル。
【請求項２３】
窓ガラスパネルがヨーロッパ規格ＥＮ４１０により測定して１％未満の全紫外光透過率を持つことを特徴とする請求項１から２２のいずれかに記載の窓ガラスパネル。
【請求項２４】
もし存在するなら発泡性層のそれぞれ及びいずれかが２ｍｍ以下の厚さを持つことを特徴とする請求項１から２３のいずれかに記載の窓ガラスパネル。